(57)【要約】【課題】  外部記憶装置（ＵＳＢメモリ等）が電子機器に接続された場合に、所望のデータ（メディアファイル、アプリケーションソフトウェア）を探す際の煩雑さを低減し、ユーザの利便性を向上させることが課題になっていた。【解決手段】  実施形態の電子機器は、外部記憶装置の接続を検出する接続検出部を備える。  また、前記接続が検出された場合は、前記外部記憶装置から予め設定された種類のメディアファイル（アプリケーションソフトウェア）を参照する参照部を備える。  また、前記参照に基づいて、前記予め設定された種類のメディアファイル（アプリケーションソフトウェア）を他の種類に優先して出力する出力部を備える。【選択図】  図１
2014115792.tif 000002
【特許請求の範囲】
【請求項１】
外部記憶装置の接続を検出する接続検出部と、
前記接続が検出された場合は、前記外部記憶装置から予め設定された種類のメディアファイルを参照する参照部と、
前記参照に基づいて、前記予め設定された種類のメディアファイルを他の種類に優先して出力する出力部を備える電子機器。
【請求項２】
前記接続が検出された場合に、前記外部記憶装置に記憶されている複数のメディアファイルの種類情報が取得される請求項１に記載の電子機器。
【請求項３】
前記メディアファイルの種類は拡張子情報を含む請求項１または請求項２のいずれかに記載の電子機器。
【請求項４】
前記外部記憶装置の接続検出は、電源ＯＮ状態または、前記外部記憶装置が接続された状態で電源がＯＮにされた状態で実行される請求項１乃至請求項３のいずれか１つに記載の電子機器。
【請求項５】
前記予め設定された種類は前記複数のメディアファイルの更新日時、テキスト、画像のいずれか１つを含む請求項１乃至請求項４のいずれか１つに記載の電子機器。
【請求項６】
前記優先して出力されるメディアファイルの種類を指定可能な指定部を備える請求項１乃至請求項５のいずれか１つに記載の電子機器。
【請求項７】
前記外部記憶装置は記憶媒体を含む請求項１乃至請求項６のいずれか１つに記載の電子機器。
【請求項８】
前記外部記憶装置はＵＳＢメモリを備える請求項１乃至請求項７のいずれか１つに記載の電子機器。
【請求項９】
外部記憶装置の接続を検出するステップと、
前記接続が検出された場合は、前記外部記憶装置から予め設定された種類のメディアファイルを参照するステップと、
前記参照に基づいて、前記予め設定された種類のメディアファイルを他の種類に優先して出力するステップを備える電子機器の制御方法。
【請求項１０】
外部記憶装置の接続を検出するステップと、
前記接続が検出された場合は、前記外部記憶装置から予め設定された種類のメディアファイルを参照するステップと、
前記参照に基づいて、前記予め設定された種類のメディアファイルを他の種類に優先して出力するステップを備え、電子機器を制御する電子機器の制御プログラム。
【発明の詳細な説明】
【技術分野】
【０００１】
本発明の実施形態は、電子機器、電子機器の制御方法、電子機器の制御プログラムに関する。
【背景技術】
【０００２】
近年、コンピュータ等の電子機器に対して「活線挿抜」に対応した外部記憶装置が普及している。
【０００３】
「活線挿抜」とは、例えば、コンピュータ（電子機器）の電源を入れたまま、パーツやケーブルを交換することである。
【０００４】
また、コンピュータ（電子機器）に通電したまま、パーツを装着することを、例えば、「ホットプラグ」と呼ばれるが、「活線挿抜」と「ホットプラグ」の両者が同じ意味で用いられる場合もある。
【０００５】
また、連続稼動要求の厳しい大型コンピュータでは、ハードディスク等の機器は、「ホットスワップ」に対応したうえ、多重化されている。そして、例えば、障害発生時には、システムを停止することなく装置の入れ替えができるようになっていることが多い。
【０００６】
この「ホットスワップ」もコンピュータの電源を入れたまま、パーツやケーブルを交換することを指す。
【０００７】
そして、パーソナルコンピュータ（ＰＣ）等の電子機器においては、例えば、ＰＣカードやＵＳＢ（ユニバーサル・シリアル・バス（Ｕｎｉｖｅｒｓａｌ  Ｓｅｒｉａｌ  Ｂｕｓ、ユーエスビー））、ＩＥＥＥ  １３９４等の入出力規格が、この「ホットスワップ」に対応している。
【０００８】
そして、電子機器に対する「活線挿抜」に対応した外部記憶装置の一例として、例えば、ＵＳＢメモリがある。
【０００９】
ＵＳＢメモリは、Ｕｎｉｖｅｒｓａｌ  Ｓｅｒｉａｌ  Ｂｕｓ  （ＵＳＢ）を用いてコンピュータに接続してデータの読み書きを行う補助記憶装置のうち、記録媒体に半導体メモリを用いて単体で動作するものである。
【００１０】
近年、これらの外部記憶装置（ＵＳＢメモリ等）は、記憶容量が大きくなっており、多数のメディアファイルを記憶することが可能になっている。
【００１１】
しかし、多数のメディアファイルが記憶されている外部記憶装置（ＵＳＢメモリ等）が電子機器に接続された場合に、データ（例えば、記憶されているメディアファイルの数）が多すぎると、所望のデータ（メディアファイル）を探す動作が煩雑になる場合がある。
【００１２】
このため、外部記憶装置（ＵＳＢメモリ等）が電子機器に接続された場合に、所望のデータ（メディアファイル）を探す際の煩雑さを低減し、ユーザの利便性を向上させることが課題になっていた。
【先行技術文献】
【特許文献】
【００１３】
【特許文献１】特開２００１−９２５５２号公報
【発明の概要】
【発明が解決しようとする課題】
【００１４】
外部記憶装置（ＵＳＢメモリ等）が電子機器に接続された場合に、所望のデータ（メディアファイル、アプリケーションソフトウェア）を探す際の煩雑さを低減し、ユーザの利便性を向上させることが課題になっていた。
【課題を解決するための手段】
【００１５】
実施形態の電子機器は、外部記憶装置の接続を検出する接続検出部を備える。
【００１６】
また、前記接続が検出された場合は、前記外部記憶装置から予め設定された種類のメディアファイル（アプリケーションソフトウェア）を参照する参照部を備える。
【００１７】
また、前記参照に基づいて、前記予め設定された種類のメディアファイル（アプリケーションソフトウェア）を他の種類に優先して出力する出力部を備える。
【図面の簡単な説明】
【００１８】
【図１】実施形態に係わる電子機器の外観を示す図。
【図２】実施形態に係わる電子機器（タブレット）の構成の一例を示すブロック図。
【図３】実施形態に係わる電子機器から出力される優先メディア指定部を示す図。
【図４】実施形態に係わる電子機器の動作を説明するフローチャート。
【発明を実施するための形態】
【００１９】
以下、図面を参照し、実施の形態を説明する。
【００２０】
図１は、実施形態に係わる電子機器の外観を示す図である。
【００２１】
この実施形態において、外部記憶装置１０は、電子機器（タブレット）２０に対して「活線挿抜」に対応している。
【００２２】
図１に示すように、この実施形態の電子機器（タブレット）２０においては、電子機器（タブレット）２０に、例えば、ＵＳＢメモリ等の外部記憶装置１０が接続されると、電子機器（タブレット）２０は、この外部記憶装置１０の接続を検出する（接続検出部）。
【００２３】
そして、接続が検出された場合は、外部記憶装置１０から、後述するように、予め設定された種類のメディアファイル（アプリケーションソフトウェア）を参照する（参照部）。
【００２４】
そして、参照に基づいて、例えば、図１の映像表示部１７に出力されたアプリケーション提示３０のように、予め設定された種類のメディアファイル（アプリケーションソフトウェア）を他のメディアファイル（アプリケーションソフトウェア）の種類に優先して出力する（出力部）。
【００２５】
ここでは、例えば、メディアファイルの種類は拡張子情報を含んでいる。
【００２６】
そして、ここでは、アプリケーション提示３０には、予め設定された種類のメディアファイル（アプリケーションソフトウェア）が提示されている。
【００２７】
ここで、アプリケーション提示３０には、例えば、「Ｌａｕｎｃｈ  Ａｐｐｌｉｃａｔｉｏｎ」と表示され、「Ｇａｌｌｅｒｙ」、「Ｍｅｄｉａ  Ｐｌａｙｅｒ」、「Ｍｕｓｉｃ」、「Ｂｒｏｗｓｅｒ」等の、予め設定された種類のメディアファイル（アプリケーションソフトウェア）が提示されている。
【００２８】
また、電子機器２０は、ここでは、タブレットを用いて説明を行うが、この実施形態においては、これに限られるものではなく、スマートフォンやパーソナルコンピュータ（ＰＣ）、テレビ等の電子機器にも適用可能である。
【００２９】
図２は、実施形態に係わる電子機器（タブレット）の構成の一例を示すブロック図である。
【００３０】
この電子機器(タブレット)２０は、例えば、ＣＰＵ（central processing unit）１０１、ノースブリッジ１０２、主メモリ１０３、サウスブリッジ１０４、ＧＰＵ（Graphics Processing Unit）１０５、ＶＲＡＭ（ビデオＲＡＭ:random access memory）１０５Ａ、サウンドコントローラ１０６、ＢＩＯＳ−ＲＯＭ（basic input/output system-read only memory）１０７、ＬＡＮ（local area network）コントローラ１０８、ハードディスクドライブ（ＨＤＤ（記憶装置））１０９、光ディスクドライブ（ＯＤＤ）１１０、ＵＳＢコントローラ１１１、カードコントローラ１１１Ｂ、無線ＬＡＮコントローラ１１２、エンベデッドコントローラ／キーボードコントローラ（ＥＣ／ＫＢＣ）１１３、ＥＥＰＲＯＭ（electrically erasable programmable ROM）１１４等を備えている。
【００３１】
ここで、ＣＰＵ１０１は、電子機器(タブレット)２０内の各部の動作を制御するプロセッサである。
【００３２】
また、ＣＰＵ１０１は、ＢＩＯＳ−ＲＯＭ１０７に格納されたＢＩＯＳを実行する。ＢＩＯＳは、ハードウェア制御のためのプログラムである。
【００３３】
ノースブリッジ１０２は、ＣＰＵ１０１のローカルバスとサウスブリッジ１０４との間を接続するブリッジデバイスである。ノースブリッジ１０２には、主メモリ１０３をアクセス制御するメモリコントローラも内蔵されている。また、ノースブリッジ１０２は、例えば、PCI EXPRESS規格のシリアルバスなどを介してＧＰＵ１０５との通信を実行する機能も有している。
【００３４】
ＧＰＵ１０５は、電子機器(タブレット)２０のディスプレイモニタとして使用される映像表示部（ＬＣＤ）１７を制御する表示コントローラである。
【００３５】
このＧＰＵ１０５によって生成される表示信号は映像表示部（ＬＣＤ）１７に送られる。また、ＧＰＵ１０５は、ＨＤＭＩ制御回路３およびＨＤＭＩ端子２を介して、外部ディスプレイ１にデジタル映像信号を送出することもできる。
【００３６】
ＨＤＭＩ端子２は、前述の外部ディスプレイ接続端子である。ＨＤＭＩ端子２は、非圧縮のデジタル映像信号とデジタルオーディオ信号とを１本のケーブルでテレビのような外部ディスプレイ１に送出することができる。ＨＤＭＩ制御回路３は、ＨＤＭＩモニタと称される外部ディスプレイ１にデジタル映像信号を、ＨＤＭＩ端子２を介して送出するためのインタフェースである。
【００３７】
サウスブリッジ１０４は、ＰＣＩ（Peripheral Component Interconnect）バス上の各デバイス及びＬＰＣ（Low Pin Count）バス上の各デバイスを制御する。また、サウスブリッジ１０４は、ＨＤＤ１０９及びＯＤＤ１１０を制御するためのＩＤＥ（Integrated Drive Electronics）コントローラを内蔵している。
【００３８】
さらに、サウスブリッジ１０４は、サウンドコントローラ１０６との通信を実行する機能も有している。
【００３９】
サウンドコントローラ１０６は音源デバイスであり、再生対象のオーディオデータをスピーカ１８Ａ，１８ＢまたはＨＤＭＩ制御回路３に出力する。ＬＡＮコントローラ１０８は、例えばＩＥＥＥ８０２．３規格の有線通信を実行する有線通信デバイスであり、一方、無線ＬＡＮコントローラ１１２は、例えばＩＥＥＥ８０２．１１ｇ規格の無線通信を実行する無線通信デバイスである。ＵＳＢコントローラ１１１Ａは、（ＵＳＢコネクタ１９を介して接続される）例えばＵＳＢ２．０規格に対応した外部機器との通信を実行する。
【００４０】
例えば、ＵＳＢコントローラ１１１Ａは、例えば、デジタルカメラに格納されている画像データファイルを受信するために使用される。カードコントローラ１１１Ｂは、コンピュータ（ノートＰＣ）本体１１に設けられたカードスロットに挿入される、ＳＤカードのようなメモリカードに対するデータの書き込み及び読み出しを実行する。
【００４１】
ＥＣ／ＫＢＣ１１３は、電力管理のためのエンベデッドコントローラと、キーボード１３及びタッチパッド１６を制御するためのキーボードコントローラとが集積された１チップマイクロコンピュータである。ＥＣ／ＫＢＣ１１３は、ユーザによるパワーボタン１４の操作に応じて電子機器(タブレット)２０を電源オン／電源オフする機能を有している。
【００４２】
この実施の形態における表示制御は、例えばＣＰＵ１０１が主メモリ１０３やＨＤＤ１０９等に記録されたプログラムを実行させることにより行われる。
【００４３】
なお、上記説明は一例であり、この実施形態に係る電子機器は、上記構成とは異なるハードウェアで構成することも可能である。
【００４４】
図３は、実施形態に係わる電子機器から出力される優先メディア指定部を示す図である。
【００４５】
図３に示すように、ここでは、電子機器２０の映像表示部１７に優先メディア指定部４０が出力される。
【００４６】
この優先メディア指定部４０では、「外部記憶装置が検出された場合に優先的に提示するメディアファイル（アプリケーションソフトウェア）の種類を指定してください」と表示されており、ユーザは、外部記憶装置１０に記憶されているメディアファイル（アプリケーションソフトウェア）の中で、他の種類のメディアファイル（アプリケーションソフトウェア）に優先して出力されるメディアファイル（アプリケーションソフトウェア）の種類を指定することが可能である。
【００４７】
そして、例えば、電子機器（タブレット）２０に対して「活線挿抜」に対応した外部記憶装置１０の接続が検出された場合は、この外部記憶装置１０から、ユーザによって、予め設定された種類のメディアファイル（アプリケーションソフトウェア）を参照し、予め設定された種類のメディアファイル（アプリケーションソフトウェア）を他の種類に優先して出力する（例えば、図１、アプリケーション提示３０）。
【００４８】
なお、このメディアファイル（アプリケーションソフトウェア）の種類は、予めデフォルトで設定しておくことも可能である。
【００４９】
ここでは、例えば、ユーザによって、「更新日時」３１が指定されている。
【００５０】
この場合は、この外部記憶装置１０から、予め設定された種類のメディアファイル（「更新日時」３１、ここでは、更新日時が新しい）を参照し、予め設定された種類（すなわち、ここでは、更新日時が新しい）のメディアファイルを他の種類（更新日時が新しくない）に優先して出力する。
【００５１】
また、この実施形態においては、外部記憶装置１０に記憶されているメディアファイル（アプリケーションソフトウェア）の中で、他の種類のメディアファイル（アプリケーションソフトウェア）に優先して出力されるメディアファイル（アプリケーションソフトウェア）の種類として、図３に示すように、例えば、「Ｔｅｘｔ」や「画像」、「最も多いメディアファイル（アプリケーションソフトウェア）」等を指定することも可能である。
【００５２】
図４は、実施形態に係わる電子機器の動作を説明するフローチャートである。
【００５３】
ステップＳ１００は、開始ステップである。続いて、ステップＳ１０１に進む。
【００５４】
ステップＳ１０１は、外部記憶装置１０は、電子機器２０に対して「活線挿抜」に対応しており、電源ＯＮ状態の電子機器（タブレット）２０に外部記憶装置１０が接続、または、外部記憶装置１０が接続された状態で電子機器（タブレット）２０の電源ＯＮにされたステップである。続いて、ステップＳ１０２に進む。
【００５５】
ステップＳ１０２は、電子機器２０に外部記憶装置１０は接続されたかを検出するステップである。電子機器２０に外部記憶装置１０は接続されたと検出される場合は、ステップＳ１０３に進む（Ｙｅｓ）。電子機器２０に外部記憶装置１０は接続されたと検出されない場合は、ステップＳ１０１に進み、上記処理を繰り返す（Ｎｏ）。
【００５６】
ステップＳ１０３は、例えば、外部記憶装置１０に記憶されている複数のメディアファイル（アプリケーションソフトウェア）の種類情報を取得するステップである。続いて、ステップＳ１０４に進む。
【００５７】
ステップＳ１０４は、メディアファイル（アプリケーション）の種類に応じた表示優先度が設定されているかを検出するステップである。メディアファイル（アプリケーション）の種類に応じた表示優先度が設定されている場合は、ステップＳ１０５に進む（Ｙｅｓ）。メディアファイル（アプリケーション）の種類に応じた表示優先度が設定されていない場合は、例えば、ステップＳ１１４に進む（Ｎｏ）。
【００５８】
ステップＳ１０５は、設定されているメディアファイル（アプリケーション）の種類は「更新日時」であるかを検出するステップである。設定されているメディアファイル（アプリケーション）の種類は「更新日時」であると検出される場合は、ステップＳ１０６に進む（Ｙｅｓ）。設定されているメディアファイル（アプリケーション）の種類は「更新日時」ではないと検出される場合は、例えば、ステップＳ１０８に進む（Ｎｏ）。
【００５９】
ステップＳ１０６は、外部記憶装置１０内のメディアファイル（アプリケーションソフトウェア）の中で設定された種類（更新日時の新しい）のメディアファイル（アプリケーションソフトウェア）の拡張子を参照するステップである。続いて、ステップＳ１０７に進む。
【００６０】
ステップＳ１０７は、設定された種類のメディアファイル（更新日時の新しいメディアの拡張子を起動可能なアプリケーション）を他の種類に優先して提示出力するステップである。続いて、ステップＳ１１４に進む。
【００６１】
ステップＳ１０８は、設定されているメディアファイル（アプリケーション）の種類は「テキスト」であるかを検出するステップである。設定されているメディアファイル（アプリケーション）の種類は「テキスト」であると検出される場合は、ステップＳ１０９に進む（Ｙｅｓ）。設定されているメディアファイル（アプリケーション）の種類は「テキスト」ではないと検出される場合は、ステップＳ１１１に進む（Ｎｏ）。
【００６２】
ステップＳ１０９は、外部記憶装置１０内のメディアファイル（アプリケーションソフトウェア）の中で設定された種類（テキスト）のメディアの拡張子を参照するステップである。続いて、ステップＳ１１０に進む。
【００６３】
ステップＳ１１０は、設定された種類のメディアファイル（テキストメディアの拡張子を起動可能なアプリケーション）を他の種類に優先して提示出力するステップである。続いて、ステップＳ１１４に進む。
【００６４】
ステップＳ１１１は、設定されているメディアファイル（アプリケーション）の種類は「画像」であるかを検出するステップである。設定されているメディアファイル（アプリケーション）の種類は「画像」であると検出される場合は、ステップＳ１１２に進む（Ｙｅｓ）。設定されているメディアファイル（アプリケーション）の種類は「画像」ではないと検出される場合は、ここでは、ステップＳ１１４に進む（Ｎｏ）。
【００６５】
ステップＳ１１２は、外部記憶装置１０内のメディアの中で設定された種類（画像）のメディアの拡張子を参照するステップである。続いて、ステップＳ１１３に進む。
【００６６】
ステップＳ１１３は、設定された種類のメディアファイル（画像メディアの拡張子を起動可能なアプリケーション）を優先的に提示出力するステップである。続いて、ステップＳ１１４に進む。
【００６７】
なお、「最も多いメディアファイル（アプリケーションソフトウェア）」について、上記と同様の動作を行なうことも可能である。
【００６８】
ステップＳ１１４は、終了ステップであり、ここで処理は終了する。
【００６９】
すなわち、この実施形態においては、電子機器２０は、外部記憶装置の接続を検出する接続検出部を備えている（図示せず）。
【００７０】
また、前記接続が検出された場合は、前記外部記憶装置から予め設定された種類のメディアファイル（アプリケーションソフトウェア）を参照する参照部を備えている（図示せず）。
【００７１】
また、前記参照に基づいて、前記予め設定された種類のメディアファイル（アプリケーションソフトウェア）を他の種類に優先して出力する出力部を備えている（図１、アプリケーション提示３０）。
【００７２】
また、この実施形態においては、電子機器２０は、前記接続が検出された場合に、前記外部記憶装置１０に記憶されている複数のメディアファイル（アプリケーションソフトウェア）の種類情報が取得される。
【００７３】
また、電子機器２０は、前記外部記憶装置１０の接続検出は、電源ＯＮ状態または、前記外部記憶装置が接続された状態で電源がＯＮにされた状態で実行される。
【００７４】
また、電子機器２０は、前記予め設定された種類は前記複数のメディアファイル（アプリケーションソフトウェア）の更新日時、テキスト、画像のいずれか１つを含む。
【００７５】
また、電子機器２０は、前記優先して出力されるメディアファイル（アプリケーションソフトウェア）の種類を指定可能な指定部（図３）を備える。
【００７６】
また、前記外部記憶装置１０は半導体メモリ等の記憶媒体を含む。
【００７７】
また、前記外部記憶装置１０はＵＳＢメモリを備える。
【００７８】
また、この実施形態は、電子機器に対する「活線挿抜」に対応した外部記憶装置として、上記「ホットスワップ」に対応する、例えば、ＰＣカードやＩＥＥＥ  １３９４等の入出力規格に対応した外部記憶装置に適用することも可能である。
【００７９】
すなわち、この実施形態は、電子機器に対して、「活線挿抜」に対応した外部記憶装置及びこれらを内蔵する機器が挿入されたことを検出したときに、外部記憶装置内のメディアの状態に応じて起動するメディアファイル（アプリケーションソフトウェア）を提示する。
【００８０】
そして、外部記憶装置内に、複数種類のメディアファイル（アプリケーションソフトウェア）が存在している場合において、提示するアプリケーションの表示順序に優先順位を付け、ユーザがより適切なアプリケーションを選択しやすいようにすることが可能である。
【００８１】
また、電子機器において、起動するメディアファイル（アプリケーションソフトウェア）の提示の優先順位付けの方法をユーザが設定することが可能である。
【００８２】
また、起動するメディアファイル（アプリケーションソフトウェア）の選択方法として、最新のメディアファイル（アプリケーションソフトウェア）を参照することが選択されている場合は、外部記憶装置内のメディアの中で最も更新日時の新しいメディアファイル（アプリケーションソフトウェア）の拡張子を参照し、その拡張子のファイルを起動することができるメディアファイル（アプリケーションソフトウェア）を優先的に提示することが可能である。
【００８３】
また、起動するメディアファイル（アプリケーションソフトウェア）の選択方法の１つとして、最も多いメディアファイルの種類を参照することが選択されている場合には、外部記憶装置内に存在するメディアファイル（アプリケーションソフトウェア）の中で、最も多いメディアファイルの種類を参照し、その拡張子のファイルを起動することができるアプリケーションを優先的に提示することが可能である。
【００８４】
これにより、例えば、所定の外部デバイスの装着状態を検出した時に所定のアプリケーションを起動するような外部デバイスに依存する処理に対し、この実施形態は、特定の外部デバイスに依存せず、外部記憶装置内のメディアファイル（アプリケーションソフトウェア）の種類により、起動するアプリケーションに優先順位を付けて提示することが可能である。
【００８５】
これにより、ユーザが所望するアプリケーションの選択を容易にすることが可能である。
【００８６】
上記のように構成することによって、この実施形態においては、外部記憶装置が電子機器に接続された場合に、所望のデータ（メディアファイル、アプリケーションソフトウェア）を探す際の煩雑さを低減し、ユーザの利便性を向上させることが可能になる。
【００８７】
なお、上記実施形態の制御処理の手順は全てソフトウェアによって実行することが可能である。このため、制御処理の手順を実行するプログラムを格納したコンピュータ読み取り可能な記憶媒体を通じてこのプログラムを通常のコンピュータにインストールして実行するだけで、上記実施形態と同様の効果を容易に実現することができる。
【００８８】
なお、上記実施形態は、記述そのものに限定されるものではなく、実施段階では、その趣旨を逸脱しない範囲で、構成要素を種々変形して具体化することが可能である。
【００８９】
また、上記実施形態に開示されている複数の構成要素の適宜な組み合せにより種々の発明を形成できる。
【００９０】
例えば、実施形態に示される全構成要素から幾つかの構成要素を削除してもよい。更に、異なる実施形態に亘る構成要素を適宜組み合せてもよい。
【符号の説明】
【００９１】
１０…外部記憶装置、１７…映像表示部、２０…電子機器、３０…アプリケーション提示、４０…優先メディア指定部。
【図１】
2014115792.tif 000003
【図２】
2014115792.tif 000004
【図３】
2014115792.tif 000005
【図４】
2014115792.tif 000006